(57)【要約】【課題】  スライドプレート４の押え板６を先端補強カラー１ｃに取り付けるためには、押え板６と外側ブーム先端補強カラー１ｃとの間にスペーサ１２を入れる必要があったがその作業は非常に作業しにくいものであった。また、スペーサ１２の存在は外側ブーム１の重量増加になってしまうものであった。【解決手段】  外側ブーム１先端部内面に配置され内側ブーム２を摺接支持するスライドプレート４と、前記外側ブーム１先端部の外側ブーム基本構成部材を取り巻いて固着された先端補強カラー１ｃと、前記先端補強カラー１ｃの外側ブーム先端側となる面１０に脱着自在に取り付けられ、その内側ブーム２側への突出部が前記スライドプレート４の伸縮ブーム先端方向への抜け出しを防止する押え板６と、を備え、前記先端補強カラー１ｃの押え板取り付け面１０が外側ブーム基本構成部材の先端側端面１１よりも外側ブーム先端側に位置するよう構成した。【選択図】        図３
2007284194.tif 000002
【特許請求の範囲】
【請求項１】
外側ブーム内に内側ブームを伸縮自在に嵌挿した伸縮ブームにおける外側ブーム先端部構造であって、
前記外側ブーム先端部内面に配置され内側ブームを摺接支持するスライドプレートと、
前記外側ブーム先端部の外側ブーム基本構成部材を取り巻いて固着された先端補強カラーと、
前記先端補強カラーの外側ブーム先端側となる面に脱着自在に取り付けられ、その内側ブーム側への突出部が前記スライドプレートの伸縮ブーム先端方向への抜け出しを防止する押え板と、を備え
前記先端補強カラーの前記押え板取付け面が外側ブーム基本構成部材の先端側端面よりも外側ブーム先端側に位置していることを特徴とする伸縮ブームにおける外側ブーム先端部構造。
【請求項２】
外側ブーム内に内側ブームを伸縮自在に嵌挿した伸縮ブームにおける外側ブーム先端部構造であって、
前記外側ブーム先端部内面に配置され内側ブームを摺接支持するスライドプレートと、
前記外側ブーム先端部の外側ブーム基本構成部材を取り巻いて固着された先端補強カラーと、
前記先端補強カラーの外側ブーム先端側となる面に脱着自在に取り付けられ、その内側ブーム側への突出部が前記スライドプレートの伸縮ブーム先端方向への抜け出しを防止する押え板と、を備え
前記押え板は、その突出部のスライドプレート押え面が先端補強カラーへの取付け面に対し外側ブーム先端側となるよう段違いに形成されていることを特徴とする伸縮ブームにおける外側ブーム先端部構造。
【請求項３】
前記伸縮ブームは、略Ｕ字状の下部形状を持つ筒状の外側ブーム内に同様の下部形状を持つ内側ブームを伸縮自在に嵌挿したものであり、前記スライドプレートは、先端端面を前記外側ブームの先端端面に略一致させると共に各幅方向側縁を互いに近接させて外側ブームの内周方向に連続配置した複数の直方体短冊状のスライドプレート単位体で構成したことを特徴とする請求項１又は請求項２に記載された伸縮ブームにおける外側ブーム先端部構造。
【発明の詳細な説明】
【技術分野】
【０００１】
本発明は、外側ブームに内側ブームを伸縮自在に嵌挿した伸縮ブームにおける外側ブームの先端部構造に関するものである。
【背景技術】
【０００２】
従来の伸縮ブームにおける外側ブーム先端部構造として、例えば特許文献１に記載されたものが知られている。その伸縮ブームは、略Ｕ字状の下部形状を持つ筒状の外側ブーム１内に同様の下部形状を持つ筒状の内側ブーム２を伸縮自在に嵌挿して構成されている。外側ブーム１の先端部には、内側ブーム２の下部外側面に摺接して内側ブーム２をスライド自在に支持する外側ブーム先端下部スライド装置３が配置されている。
【０００３】
図５は外側ブーム先端下部スライド装置３の詳細図である。図面に向かって左側がブーム先端側である。４は、外側ブーム先端部の下部内側に配置され対向する内側ブーム２の下部外周面に摺接するスライドプレートである。７ａは、外側ブーム１の略Ｕ字状の下部形状に沿うよう屈曲形成されその先端側縁面がスライドプレート４の基端端面の切欠き部に当接するよう外側ブーム内に配置された湾曲金具である。７ｂは、外側ブーム１の下部内面に外側ブームの周方向に散在して溶接固着された複数のリテーナである。リテーナ７ｂは、その先端側端面が前記湾曲金具７ａの基端側端面に当接するようになっている。
【０００４】
１ｃは、外側ブーム１の先端部外周に配置された外側ブーム先端補強カラーである。６は、前記外側ブーム先端補強カラー１ｃにボルト１３とナット１４とによって取り付けられた取り外し自在な押え板である。押え板６は、その内側ブーム２側への突出部が前記スライドプレート４の先端端面に当接して、その伸縮ブーム先端方向への抜け出しを防止している。
【特許文献１】特開２００５−２５５３３７号公報（第５−８頁、第３図、第４図）
【発明の開示】
【発明が解決しようとする課題】
【０００５】
ところが、前記外側ブーム先端部補強カラー１ｃの押え板６の取り付け面１０が、前記外側ブーム１の先端側端面１１よりもわずかに外側ブーム基端寄りとなるよう、外側ブーム先端部補強カラー１ｃが外側ブーム１に溶接固着されていた。そのため、押え板６を先端補強カラー１ｃに取り付けるためには、押え板６と外側ブーム先端補強カラー１ｃとの間にスペーサ１２を入れる必要があった。
【０００６】
しかし、押え板６とスペーサ１２とを同時に外側ブーム先端補強カラー１ｃに取り付ける作業は非常に作業しにくいものであった。また、スペーサ１２は外側ブーム先端補強カラー１ｃの強度向上に寄与しないものであるにもかかわらず、スペーサ１２の存在は外側ブーム１の重量増加になってしまうものであった。
【０００７】
そこで本発明は、押え板６を先端補強カラー１ｃに取り付けるにあたりスペーサ１２を必要しないため取り付け作業性に優れ、軽量化が図れる外側ブーム先端部構造を提案しようとするものである。
【課題を解決するための手段】
【０００８】
本願の請求項１に記載された伸縮ブームにおける外側ブーム先端部構造は、外側ブーム内に内側ブームを伸縮自在に嵌挿した伸縮ブームにおける外側ブーム先端部構造を対象とする。そして、前記外側ブーム先端部内面に配置され内側ブームを摺接支持するスライドプレートと、前記外側ブーム先端部の外側ブーム基本構成部材を取り巻いて固着された先端補強カラーと、前記先端補強カラーの外側ブーム先端側となる面に脱着自在に取り付けられ、その内側ブーム側への突出部が前記スライドプレートの伸縮ブーム先端方向への抜け出しを防止する押え板と、を備え、前記先端補強カラーの前記押え板取り付け面が外側ブーム基本構成部材の先端側端面よりも外側ブーム先端側に位置していることを特徴とする。
【０００９】
また、本願の請求項２に記載された伸縮ブームにおける外側ブーム先端部構造は、外側ブーム内に内側ブームを伸縮自在に嵌挿した伸縮ブームにおける外側ブーム先端部構造を対象とする。そして、前記外側ブーム先端部内面に配置され内側ブームを摺接支持するスライドプレートと、前記外側ブーム先端部の外側ブーム基本構成部材を取り巻いて固着された先端補強カラーと、前記先端補強カラーの外側ブーム先端側となる面に脱着自在に取り付けられ、その内側ブーム側への突出部が前記スライドプレートの伸縮ブーム先端方向への抜け出しを防止する押え板と、を備え、前記押え板は、その突出部のスライドプレート押え面が先端補強カラーへの取り付け面に対し外側ブーム先端側となるよう段違いに形成されていることを特徴とする。
【００１０】
さらに、本願の請求項３に記載された伸縮ブームにおける外側ブーム先端部構造は、請求項１又は請求項２に記載された外側ブーム先端部構造であって、前記伸縮ブームは、略Ｕ字状の下部形状を持つ筒状の外側ブーム内に同様の下部形状を持つ内側ブームを伸縮自在に嵌挿したものであり、前記スライドプレートは、先端端面を前記外側ブームの先端端面に略一致させると共に各幅方向側縁を互いに近接させて外側ブームの内周方向に連続配置した複数の直方体短冊状のスライドプレート単位体で構成したことを特徴とする。
【発明の効果】
【００１１】
本願の請求項１に記載された伸縮ブームにおける外側ブーム先端部構造は、前記先端補強カラーの押え板取り付け面が外側ブーム基本構成部材の先端側端面よりも外側ブーム先端側に位置しているので、押え板を先端補強カラーに取り付けるにあたりスペーサが不要となる。そのため、前記押え板の取り付けが作業性に優れたものとなるとともに、外側ブーム先端部の軽量化が図れる。
【００１２】
本願の請求項２に記載された伸縮ブームにおける外側ブーム先端部構造は、前記押え板突出部のスライドプレート押え面が、先端補強カラーへの取り付け面に対し外側ブーム先端側となるよう段違いに形成されているので、押え板を先端補強カラーに取り付けるにあたりスペーサが不要となる。そのため、前記押え板の取り付けが作業性に優れたものとなるとともに、外側ブーム先端部の軽量化が図れる。
【００１３】
本願の請求項３に記載された伸縮ブームにおける外側ブーム先端部構造は、前記伸縮ブームは、略Ｕ字状の下部形状を持つ筒状の外側ブーム内に同様の下部形状を持つ内側ブームを伸縮自在に嵌挿したものであり、前記スライドプレートは、先端端面を前記外側ブームの先端端面に略一致させると共に各幅方向側縁を互いに近接させて外側ブームの内周方向に連続配置した複数の直方体短冊状のスライドプレート単位体で構成したものを対象とする。そのため、係る略Ｕ字状の下部形状を持つ筒状の外側ブームにおけるスライドプレートの押え板を先端補強カラーに取り付けるにあたりスペーサが不要となる。そして、前記押え板の取り付けが作業性に優れたものとなるとともに外側ブーム先端部の軽量化が図れる。
【発明を実施するための最良の形態】
【００１４】
図１に、本発明の実施の形態に係る伸縮ブーム２０の外側ブーム１の先端部構造を示す。図２は、図１のＡ矢視図である。伸縮ブーム２０は、略Ｕ字状の下部形状を持つ筒状の外側ブーム１内に同様の下部形状を持つ内側ブーム１を伸縮自在に嵌挿したものである。スライドプレート４は、先端端面を前記外側ブーム１の先端端面と略一致させると共に各幅方向側縁を互いに近接させて外側ブームの内周方向に連続配置した複数の直方体短冊状のスライドプレート単位体４ａで構成されている。
【００１５】
１ｃは、前記外側ブーム先端部の外側ブーム基本構成部材を取り巻いて固着された先端補強カラーである。６は、前記先端補強カラー１ｃの外側ブーム先端側となる面にボルト１３によって脱着自在に取り付けられ、その内側ブーム側への突出部が前記スライドプレート４の伸縮ブーム先端方向への抜け出しを防止する押え板である。７ａは、外側ブーム１の略Ｕ字状の下部形状に沿うよう屈曲形成されその先端側縁面がスライドプレート４の基端端面の切欠き部に当接するよう外側ブーム内に配置された湾曲金具である。７ｂは、外側ブーム１の下部内面に外側ブームの周方向に散在して溶接固着された複数のリテーナである。リテーナ７ｂは、その先端側端面が前記湾曲金具７ａの基端側端面に当接するようになっている。
【００１６】
８ａは、外側ブーム１の内周方向に連続配置に係る多数の直方体短冊状スライドプレート単位体４ａのうち、最外側に位置するスライドプレート単位体４ａの側面に当接するようにして外側ブーム１の先端部内側に固定配置された一対の横側移動規制具である。図２に示されるように、本実施形態の伸縮ブーム２０では横側移動規制具８ａは外側ブーム１の略Ｕ字状の下部形状に沿って左右にそれぞれ一対固定配置されている。
【００１７】
図３は、図２のＢ矢視断面図である。図５に示した従来の外側ブーム先端下部スライド装置と共通する部分の説明は省略し、相違する部分について以下に説明する。先端補強カラー１ｃの押え板取り付け面１０が外側ブーム基本構成部材の先端側端面１１よりも外側ブーム先端側に位置している。それにより、ボルト１３によって押え板６を先端補強カラー１ｃに取り付けるにあたりスペーサが不要となる。したがって、押え板６の取り付けが作業性に優れたものとなるとともに、外側ブーム先端部の軽量化が図れる。以上の実施の形態は請求項１に記載された発明に対応するものである。なお、本実施の形態では先端補強カラー１ｃは従来のものよりも厚めの板が使用されてタップ穴が明けられ、ボルト１３はそのタップ穴にねじ込んで取り付けられている。さらに、２１と２２は前記先端補強カラー１ｃの補強部材である。
【００１８】
図４は他の実施の形態に係る外側ブーム先端部構造を説明する図である。図５に示した従来の外側ブーム先端下部スライド装置と共通する部分の説明は省略し、相違する部分について以下に説明する。押え板２３は、その内側ブーム側への突出部のスライドプレート押え面２４が、先端補強カラー１ｃへの取り付け面２５に対し段違いに形成されている。それにより、ボルト１３によって押え板２３を先端補強カラー１ｃに取り付けるにあたりスペーサが不要となる。そのため、押え板２３の取り付けが作業性に優れたものとなるとともに、外側ブーム先端部の軽量化が図れる。以上の実施の形態は請求項２に記載された発明に対応するものである。
【００１９】
以上の実施の形態は、略Ｕ字状の下部形状を持つ筒状の外側ブーム１内に同様の下部形状を持つ内側ブーム１を伸縮自在に嵌挿した伸縮ブームに本願発明を適用したものであって、請求項３に記載された発明に対応するものである。なお、本願発明は他の形状をもった伸縮ブーム、例えば公知の矩形断面のブーム等にも適用可能であることは勿論である。
【図面の簡単な説明】
【００２０】
【図１】本発明の実施の形態に係る伸縮ブーム２０の外側ブーム１の先端部構造を示したものである。
【図２】図１のＡ矢視図である。
【図３】図２のＢ矢視断面図である。
【図４】他の実施の形態に係る外側ブーム先端部構造を説明する図である。
【図５】従来の外側ブーム先端下部スライド装置３の詳細図である。
【符号の説明】
【００２１】
１：外側ブーム
１ｃ：先端補強カラー
２：内側ブーム
４：スライドプレート
４ａ：スライドプレート単位体
６：押え板
１０：先端補強カラーの押え板取り付け面
１１：外側ブーム基本構成部材の先端側端面
２０：伸縮ブーム
２３：押え板
２４：突出部のスライドプレート押え面
２５：先端補強カラーへの取り付け面
【図１】
2007284194.tif 000003
【図２】
2007284194.tif 000004
【図３】
2007284194.tif 000005
【図４】
2007284194.tif 000006
【図５】
2007284194.tif 000007